(57)【要約】【課題】製図板の一隅に固着手段を設け、Ｌ型スケールを回転自在に固着し、任意の角度を固定して平行定規や各種定規又はテンプレートの一辺を支持し、製図用紙を挟持することが可能で、更に可搬性を有する製図板を提供する。【解決手段】本発明は製図板の一隅に貫通孔を穿設して、Ｌ型スケールを回転可能に連結する固着手段を備えたＬ型スケール付製図板であって、製図板の貫通孔にナットを埋設し、製図板上にＬ型スケールを載置する。ボルトをナットに固着するには、Ｌ型スケールを介して製図板に埋設するナットに固着する。ボルトを締める又は緩める操作を行うと、Ｌ型スケールの回転が自在で、任意の角度を定め、製図用紙を挟持することができる。【選択図】図１
2007331360.tif 000002
【特許請求の範囲】
【請求項１】
製図板の一隅に貫通孔を穿設して、Ｌ型スケールを回転可能に連結する固着手段を備えたＬ型スケール付製図板。
【請求項２】
固着手段がボルトとナットである請求項１記載のＬ型スケール付製図板。
【請求項３】
貫通孔に固着部材のナットを埋設し、製図板上のＬ型スケールを介してボルトを固着した請求項１記載のＬ型スケール付製図板。
【請求項４】
固着部材のナットの外面を収容筒の内面に接合し、ナットの平坦部に圧縮ばねを載置して、その収容筒を製図板の貫通孔に埋設し、更に収容筒の上部に形成するフランジを製図板に固定した請求項３記載のＬ型スケール付製図板。
【請求項５】
固着部材のナットが平座金付ナットである請求項１、２、３記載のＬ型スケール付製図板。
【請求項６】
Ｌ型スケールには、二直線が交わる内角又は外角の間に円形の透孔を形成した請求項１、３記載のＬ型スケール付製図板。
【請求項７】
Ｌ型スケールに形成した透孔とばね座金と平座金を重ね合わせ、ボルトをばね座金と平座金の孔内に差し込み、さらにＬ型スケールを介して製図板に埋設するナットに固着した請求項１、３又は６記載のＬ型スケール付製図板。
【請求項８】
Ｌ型スケールの裏面に鉄製薄板を取り付けた請求項１、３、６又は７記載のＬ型スケール付製図板。
【請求項９】
製図板の底面に下面形成部材を取り付けた請求項１、３又は７記載のＬ型スケール付製図板。
【発明の詳細な説明】
【技術分野】
【０００１】  本発明は、製図板にＬ型スケールを回転自在に締着し、そのＬ型スケールを任意の角度で固定し、製図用紙を挟持可能にするＬ型スケール付製図板に関する。
【背景技術】
【０００２】    従来、製図板に定規を備えたものには、製図板の片側にレールを設けて上下にスライドするＴ型定規を備えた机上製図板が提案されている（例えば特許文献１参照）。【０００３】  また、製図板の両側にレールを固定し、上下に移動可能な平行定規を備えた製図板がある（例えば、特許文献２参照）。【０００４】  なお、角度を作図する場合、角度調節機能を有する製図機が使用されているが、これらの製図機は可搬性に乏しく、操作が困難で、簡単な図面を作成する簡便性に欠けていた。【０００５】  可搬性を有する製図機としては、携帯が容易なバックに小型製図機を装備したものが提案されている（例えば、特許文献３参照）。【０００６】  また、製図板に作図用紙を挟むものには、弾力性のある薄い帯状の磁性材プレートが使用されていた（例えば、特許文献４参照）。【０００７】
【特許文献１】  実開平６−７９９１公報
【特許文献２】  特許第２９００３５６号公報
【特許文献３】  実公平４−４５５４２公報
【特許文献４】  実用登録第２５４４１２９号公報
【発明の開示】
【発明が解決しようとする課題】
【０００８】  従来、簡単な図面を描く場合は、机や図板又は厚紙の上に製図用紙を置き、線引きの位置決めを行って、その位置に平行定規や各種定規又はテンプレートを置いてずれないように手で押さえ、また、図面がずれないように画鋲や粘着テープを利用して固定しなければならないという問題点があった。【０００９】  本発明の目的は、製図板の一隅に固着手段を設け、Ｌ型スケールを回転自在に固着し、任意の角度を固定して平行定規や各種定規又はテンプレートの一辺を支持し、製図用紙を挟持することが可能で、更に可搬性を有する製図板を提供することにある。
【課題を解決するための手段】
【００１０】  上記目的を達成するために、本発明の製図板は、用紙サイズＡ３（ＪＩＳ−Ｐ０１３８参照）と略同一のサイズであって、製図板の一隅角に貫通孔を穿設して、その貫通孔に埋設する固着手段は、Ｌ型スケールを回転可能に連結する。【００１１】  前記の固着手段は、ナットとボルトで構成し、製図板上のＬ型スケールを介してボルトを回転可能に固着する。【００１２】  Ｌ型スケールは、二直線が交わる内角を製図板に向けた状態で載置する。【００１３】  製図板の貫通孔に埋設するナットは、その外面を収容筒の内面に接合し、ナットの上部平坦部にコイル状の圧縮ばねを載置して収容筒を製図板の貫通孔に埋設して、更に収容筒の上部に形成したフランジを貫通孔の上方に形成した段差に固定する。【００１４】  なお、固着部材のナットは、平座金とナットを一体化した平座金付ナットでもよい。【００１５】  製図板の貫通孔に平座金付ナットを埋設するには、雌ねじ部を上向きの状態にして、平座金部を貫通孔の下方に形成した段差に固定する。【００１６】  製図板上に載置するＬ型スケールには、二直線が交わる内角又は外角の間に円形の透孔を形成する。【００１７】  製図板に穿設した貫通孔の上部に、Ｌ型スケールに形成した透孔とボルトを通す円孔を有するばね座金と平座金を重ね合わせ、ボルトをばね座金と平座金の孔内に差し込み、Ｌ型スケールを介してナット又は平座金付ナットに固着する。【００１８】  製図板の表面にマグネットシートが施されている場合は、Ｌ型スケールの裏面に鉄製薄板を取り付ける。【００１９】  製図板の底面に弾性体による下面形成部材を取り付ける。【００２０】  上記のように構成されたＬ型スケール付製図板において、収容筒に接合したナットを貫通孔に埋設し、ボルトをナットの上方から締め付けた状態の製図板は、携帯に好都合のサイズで持ち運びが容易であって、さらにボルトを緩めるとＬ型スケールはボルトを中心軸にして左右方向に回転するので、任意の角度を容易に定めて使用することができる。【００２１】  また、平座金付ナットを製図板の貫通孔に埋設し、そのナットにボルトを締め付けた製図板は、携帯に好都合のサイズであって、ボルトを緩めると製図板上のＬ型スケールは、そのボルトを中心軸にして左右方向に回転するので、任意の角度を定め締め付けて使用することができる。
【発明の効果】
【００２２】  本発明は製図板の一隅に貫通孔を穿設して、Ｌ型スケールを回転可能に連結する固着手段を備えることによって、固着部材のナット又は平座金付ナットに締め付けたボルトを緩めると、製図板上のＬ型スケールは左右方向に回転可能となるので、製図板との間に隙間が生じ、その隙間に製図用紙を置きボルトを締めると、Ｌ型スケールと製図板の間で製図用紙を挟むのでずれを防ぐことができる。【００２３】  また、任意に線引きの角度を決めてボルトを締めると、Ｌ型スケールで直線を引くことが可能である。またスケールの側縁に平行定規、各種定規又はテンプレートの一辺をあてがって支えられるので、様々な形態の線を引くのに好都合である。
【発明を実施するための最良の形態】
【００２４】  以下、図面を参照して、本発明のＬ型スケール付製図板について説明する。まず、図１を参照してＬ型スケール付製図板を構成する要部を説明する。
製図板１の一隅に段差６を形成した貫通孔５を穿設し、またナット１０の外面を収容筒８の内面に接着剤又は溶接で接合し、更にナット１０の上部平坦部１１にコイル状の圧縮ばね１２を載置して、その収容筒８を製図板１の貫通孔５に埋設し、更に収容筒８の上部に形成したフランジ９を、貫通孔５の上方に形成した段差６の周辺にビス７で固定し、製図板１の表面にドラフティングシート２を取り付ける。【００２５】  Ｌ型スケール３は、二直線が交わる内角又は外角の間に円形の透孔４を形成し、製図板１の貫通孔５の上部に、Ｌ型スケール３の透孔４とボルト１３を通す円孔を有するばね座金１４と平座金１５を重ね合わせ、固着部材のボルト１３をばね座金１４と平座金１５の孔内に差し込み、さらにＬ型スケール３を介して、製図板１に埋設するナット１０に固着して、製図板１の底面に弾性体による下面形成部材１６を取り付ける。【００２６】  なお、製図板１の表面に取り付けるドラフティングシート２は、マグネットシートや軟質塩化ビニールシートを利用する。【００２７】  製図板１の表面にマグネットシート２を利用する場合は、Ｌ型スケール３の裏面に鉄製薄板を取り付けるとドラフティングシートに磁着し易く、Ｌ型スケール３と製図板１の間で製図用紙がずれないように挟むことができる。【００２８】  ナット１０を埋設した製図板１の底面に、弾性体による下面形成部材１６を取り付ける。【００２９】  次に図２を参照して、固着手段を平座金付ナット１７によって構成したＬ型スケール付製図板の要部を説明する。平座金付ナット１７は、平座金とナットを一体化したものであって、製図板１の一隅に穿設した貫通孔５に平座金付ナット１７を埋設するには、雌ねじ部１８を上向きの状態にして、平座金部１９を貫通孔５の下方に形成した段差２０の周辺に固定する。【００３０】  製図板１上に載置するＬ型スケール３は二直線が交わる内角又は外角の間に円形の透孔４を形成する。【００３１】  製図板１に穿設した貫通孔５とＬ型スケール３に形成した透孔４を重ね合わせ、またＬ型スケール３の透孔４にはボルト１３を通す円孔を有するばね座金１４と平座金１５を重ね合わせて、そのばね座金１４と平座金１５の孔内にボルト１３を差し込み、さらにボルト１３はＬ型スケール３を介して製図板１に埋設した平座金付ナット１７にねじ込んで固着する。【００３２】  なお、固着手段として平座金付ナットを利用した場合は、ボルト１３を緩めてＬ型スケール３を持ち上げると、製図板上に隙間ができるので、製図用紙を隙間に差し込み、ボルト１３を締め付けるとずれを防ぐことができる。【００３３】  平座金付ナット１７を埋設した製図板１の底面に、弾性体による下面形成部材１６を取り付ける。
【図面の簡単な説明】
【００３４】
【図１】本発明の実施形態を示す要部の拡大縦断面図。
【図２】本発明の実施例の要部を示す拡大縦断面図。
【図３】本発明の実施形態を示す斜視図。
【図４】本発明の実施形態の使用状態を示す平面図。
【符号の説明】
【００３５】  １製図板
３Ｌ型スケール
４貫通孔
７収容筒
９フランジ
１０ナット
１２圧縮ばね
１３ボルト
１４ばね座金
１５平座金
１６下面形成部材
１７平座金付ナット
【図１】
2007331360.tif 000003
【図２】
2007331360.tif 000004
【図３】
2007331360.tif 000005
【図４】
2007331360.tif 000006